(57)【特許請求の範囲】
【請求項１】
それぞれ発光素子をケースに設けて成る複数個の光源ユニットと、複数個の光源ユニットが１列に並ぶように光源ユニット同士を接続する可撓な電線とを備え、各光源ユニットは、それぞれケースの外周面から突出し他部材に引掛可能な形状に形成された引掛部材を有し、引掛部材は、ケースの両側面における電線の引き出し部位同士を結ぶ直線を対称軸として対称となる位置に一対設けられていることを特徴とする装飾照明装置。
【請求項２】
前記光源ユニットは、前記発光素子からの光を出射させる出射窓を前記ケースの両面にそれぞれ有することを特徴とする請求項１記載の装飾照明装置。
【請求項３】
前記電線はカールコードからなることを特徴とする請求項１または請求項２に記載の装飾照明装置。
【発明の詳細な説明】
【技術分野】
【０００１】
本発明は、それぞれ発光素子をケースに設けて成る複数個の光源ユニットが電線によって接続された装飾照明装置に関するものである。
【背景技術】
【０００２】
従来から、この種の装飾照明装置としてクリスマスツリーなどの装飾対象を装飾（電飾）するものが知られている（たとえば特許文献１参照）。特許文献１に記載された装飾照明装置は、複数個の光源ユニットが一定の間隔で電線（ハーネス）に接続されて構成され、装飾対象に巻きつけられる形で装飾対象に取り付けられる。
【０００３】
一方、この種の装飾照明装置において、たとえば文字など何らかの形に沿って複数個の光源ユニットを配列することも考えられており、この場合には、個々の光源ユニットをそれぞれ所定の位置に位置決めすることが必要になる。
【特許文献１】特開２００４−６００７２号公報（第５頁）
【発明の開示】
【発明が解決しようとする課題】
【０００４】
しかし、特許文献１に記載の装飾照明装置では、各光源ユニットを位置決めする手段を特に有していないから、個々の光源ユニットをそれぞれ所定の位置に位置決めする施工作業は面倒である。
【０００５】
本発明は上記事由に鑑みて為されたものであって、個々の光源ユニットをそれぞれ所定の位置に容易に位置決めすることができる装飾照明装置を提供することを目的とする。
【課題を解決するための手段】
【０００６】
請求項１の発明は、それぞれ発光素子をケースに設けて成る複数個の光源ユニットと、複数個の光源ユニットが１列に並ぶように光源ユニット同士を接続する可撓な電線とを備え、各光源ユニットが、それぞれケースの外周面から突出し他部材に引掛可能な形状に形成された引掛部材を有し、引掛部材が、ケースの両側面における電線の引き出し部位同士を結ぶ直線を対称軸として対称となる位置に一対設けられていることを特徴とする。
【０００７】
この構成によれば、各光源ユニットは引掛部材を有しているから、ねじを用いて施工面に直付けする場合のようなねじ締め作業を行う必要がなく、引掛部材を他部材に引っ掛けるだけで個々の光源ユニットをそれぞれ所定の位置に容易に取り付けることができる。しかも、光源ユニットは様々な取り付けが可能であって、たとえば、施工面上の所定の位置に配設された釘等の他部材に引掛部材を引っ掛けることにより施工面上の所定の位置に光源ユニットを取り付けたり、２点間に架設された針金等他部材に引掛部材を引っ掛けることにより光源ユニットを揺れ動くように吊下げて取り付けたりすることが可能である。さらに、いずれの引掛部材を他部材に引っ掛けるかによって、光源ユニットの位置決めの際に電線の引き回し等を考慮して光源ユニットの向きを選択することができる。また、このように各光源ユニットに対して引掛部材を２個ずつ設けておけば、引掛部材同士をそれぞれ連結することにより複数個の光源ユニット同士を機械的に連結することができるという利点もある。なお、引掛部材は、たとえば釘等の他部材に引掛可能な鉤状のフックや丸環などを意味する。
【０００８】
請求項２の発明は、請求項１記載の発明において、前記光源ユニットが、前記発光素子からの光を出射させる出射窓を前記ケースの両面にそれぞれ有することを特徴とする。
【０００９】
この構成によれば、ケースの両面から発光素子の光が出射されるので、たとえば釘等の他部材に引掛部材を引っ掛けることにより所定の位置に光源ユニットを取り付けた状態で、様々な方向から光源ユニットを見る場合には、ケースの一面のみから発光素子の光が出射される構成に比べて、発光素子の光が見える範囲は広くなる。また、光源ユニットを一方向から見る場合には、たとえば光源ユニットを吊下げて取り付けた状態で光源ユニットが揺れ動いたときに、ケースの一面のみから発光素子の光が出射される構成に比べて、一定時間内に光源ユニットの光が瞬いて見える回数が多くなり、光源ユニットが一層きらめいて見えることになる。
【００１０】
請求項３の発明は、請求項１または請求項２の発明において、前記電線がカールコードからなることを特徴とする。
【００１１】
この構成によれば、電線が伸縮性を有するので、電線が縮んだ状態と伸びきった状態との間の範囲内で隣り合う光源ユニット間の間隔を自由に変化させることができる。これに対して、電線として仮にストレートコードを用いた場合には、隣り合う光源ユニット間の間隔を狭めると電線が垂れ下がるから、隣り合う光源ユニット間の間隔が狭ければ、電線の垂れ下がった部分が光源ユニットに重なって光源ユニットからの光を遮ることがないように電線を保持する必要がある。すなわち、請求項３の構成では、隣り合う光源ユニット間の間隔が狭くても電線の保持が不要になり施工が容易になるという利点がある。
【発明の効果】
【００１２】
本発明は、各光源ユニットが少なくとも１個の引掛部材を有しているから、引掛部材を他部材に引っ掛けるだけで個々の光源ユニットをそれぞれ所定の位置に容易に位置決めすることができるという利点がある。
【発明を実施するための最良の形態】
【００１３】
（実施形態１）
本実施形態の装飾照明装置は、図１に示すように、複数個の光源ユニットＡ１〜Ａ４が１列に並ぶように光源ユニットＡ１〜Ａ４同士を可撓性を有した電線１で接続することにより構成されたものである。複数個の光源ユニットＡ１〜Ａ４は互いに共通の構成を有しているので、以下ではまず、光源ユニットＡ１を例として個々の光源ユニットＡ１〜Ａ４の構成を説明する。
【００１４】
光源ユニットＡ１は、図２に示すように、発光素子としての発光ダイオード２が実装された回路基板３を直方体状のケース４内に合成樹脂材料によってモールドしたものであって、ケース４の前面（図２（ｂ）の上面）に発光ダイオード２からの光を取り出す出射窓５が形成されている。発光ダイオード２は、出射窓５の中央部に発光ダイオードチップ６を有している。出射窓５内には透光性を有する透明板７が配置されており、光源ユニットＡ１が屋外での使用に耐え得る防水性を有するように回路基板３自体はケース４内に密封される。さらに、ケース４は弾性を有する材料から形成されることにより、耐衝撃性を有する。
【００１５】
回路基板３には発光ダイオード２のアノード側、カソード側のそれぞれに対応する２本の電線１が接続されており、これらの電線１は、ケース４における一方向（図２（ａ）の左右方向）の両側面からそれぞれ引き出されている。ケース４の両側面において電線１が引き出される部位の周囲には電線１の基端部を覆う突起８が突設される。突起８はケース４と同様に弾性を有する材料からなり、さらに突起８の外周面には周方向の全周にわたって形成された溝９が２本設けられている。これにより突起８の先端部を突起８の突出方向に対して傾けることが可能であって、ケース４から電線１を斜めに引き出すことも可能である。ここでは、隣り合う光源ユニットＡ１〜Ａ４間において、各々をそれぞれ１本の電線１で接続するようにしているが、各々から引き出された電線１同士を接続するようにしてもよい。このように構成された複数個の光源ユニットＡ１〜Ａ４は、電源（図示せず）の出力端間に直列に接続される。
【００１６】
ところで、光源ユニットＡ１は、ケース４の外周面において突起８を設けた側面以外の一面（図２（ａ）の上端面）から突出した引掛部材としてのフック１０を有している。フック１０は、ケース４の前面に沿う面内において引掛孔１１を有する円環状に形成され、かつ基端部寄りの一部に引掛孔１１を開放する切欠１２が形成されることにより、全体としてケース４の前面に沿う面内で疑問符状となる形状に形成されている。ここではフック１０はケース４と連続一体に形成されているが、ケース４とは別体のフック１０をケース４に設けるようにしてもよい。
【００１７】
すなわち、フック１０は他部材に引掛可能な形状に形成されているのであって、フック１０を引っ掛ける対象とする他部材（以下では相手部材という）としては、たとえばフック１０と同様の形状や、切欠１２がない円環状や、棒状などに形成された針金、釘等の部材を採用することができる。ここで、相手部材をフック１０の切欠１２を通してフック１０の引掛孔１１内に侵入させることにより、フック１０が相手部材に引っ掛かることになる。これらの相手部材を装飾対象における所定の位置に設けておけば、個々の光源ユニットＡ１〜Ａ４は、フック１０を相手部材に引っ掛けるだけで所定の位置にそれぞれ位置決めされることになる。さらに、２点間に架設された針金や紐等にフック１０を引っ掛けることにより個々の光源ユニットＡ１〜Ａ４を揺れ動くように吊下げて取り付けることもでき、この場合には、複数個の光源ユニットＡ１〜Ａ４は針金や紐等の延長方向に沿って並ぶことになる。
【００１８】
要するに、本実施形態の装飾照明装置においては、たとえばクリスマスツリーなどの装飾対象における所定の位置にフック１０を引っ掛ける部分があれば、個々の光源ユニットＡ１〜Ａ４におけるフック１０を装飾対象に引っ掛けるだけで個々の光源ユニットＡ１〜Ａ４を所定の位置にそれぞれ位置決めすることができる。また、装飾対象にフック１０を引っ掛ける部分がなくても、装飾照明装置の取付施工前に、フック１０を引っ掛ける相手部材をあらかじめ装飾対象の所定の位置に取り付けておけば、この相手部材を用いて個々の光源ユニットＡ１〜Ａ４を所定の位置にそれぞれ位置決めすることができる。しかも、フック１０は相手部材に引っ掛けられているだけであるから、フック１０を相手部材から外して別の位置に設けた相手部材に引っ掛けることができ、結果的に光源ユニットＡ１〜Ａ４の位置を容易に変更することができる。
【００１９】
また、装飾照明装置を設置する施工面上において、たとえばフック１０と同様の形状や、切欠１２がない円環状や、棒状などに形成された針金、釘等の部材を縦横に複数個ずつ配設しておけば、施工面上で複数個の光源ユニットＡ１〜Ａ４を２次元的に所望の位置に配置することができ、複数個の光源ユニットＡ１〜Ａ４を文字などの形に沿って容易に配列することができる。このように、複数個の光源ユニットＡ１〜Ａ４を文字などの形状に容易に配列することができるので、広告用の看板等の光源として本実施形態の装飾照明装置を使用することも望ましい。
【００２０】
さらに、本実施形態では、光源ユニットＡ１を装飾対象に対して固定する固定ねじ（図示せず）を挿通するための透孔１３が、ケース４の前面において互いに対向する一対の角部にそれぞれ設けられている。フック１０を相手部材に引っ掛けるだけでは、光源ユニットＡ１は装飾対象に対して完全には固定されておらず動かすことも可能であるが、この透孔１３を使用して光源ユニットＡ１をねじ止めすれば光源ユニットＡ１を固定することができる。このように、光源ユニットＡ１をねじ止めする場合でも、フック１０を相手部材に引っ掛けることにより光源ユニットＡ１を仮止めした状態でねじ止めするようにすれば、ねじ止めの作業が容易になる。
【００２１】
ところで、図１および図２では、光源ユニットＡ１に設けた引掛部材は１個だけであるが、図３に示すように、１個の光源ユニットＡ１に対して引掛部材を２個設けてもよい。図３においては、ケース４の一面（図の上端面）から突出するフック１０以外に、ケース４の他面（図の下端面）から突出する丸環１４が引掛部材として設けられている。丸環１４は、ケース４の前面に沿う面内において引掛孔１５を有する円環状に形成されている。この形状によれば、相手部材を丸環１４の引掛孔１５内に挿入することにより、丸環１４が相手部材に引っ掛かることになる。ただし、１個の光源ユニットＡ１に設ける引掛部材の組み合わせは、フック１０と丸環１４に限るものではなく、フック１０とフック１０、あるいは丸環１４と丸環１４であってもよい。
【００２２】
ここで、一方の引掛部材を相手部材に引っ掛けた場合と他方の引掛部材を相手部材に引っ掛けた場合とで光源ユニットＡ１の向きが異なるように、２個の引掛部材を別の向きに突出させておけば、光源ユニットＡ１の位置決めの際に電線１の引き回し等を考慮して光源ユニットＡ１の向きを選択することができる。また、このように各光源ユニットＡ１〜Ａ４に対して引掛部材を２個ずつ設けておけば、引掛部材同士をそれぞれ連結することにより複数個の光源ユニットＡ１〜Ａ４同士を機械的に連結することができるという利点もある。
【００２３】
なお、図１および図２では光源ユニットＡ１に引掛部材としてフック１０を設けているが、引掛部材はフック１０に限らず相手部材に引掛可能な形状に形成されたものであればよく、上述した丸環１４、あるいはそれ以外の引掛部材をフック１０の代わりに光源ユニットＡ１に設けてもよい。
【００２４】
（実施形態２）
本実施形態の装飾照明装置は、各光源ユニットＡ１〜Ａ４の構成が実施形態１の装飾照明装置とは相違する。その他の構成および機能は実施形態１と同様である。
【００２５】
本実施形態では、図４に示すように、回路基板３の厚み方向の両面にそれぞれ発光ダイオード２が実装されるとともに、ケース４の外周面における回路基板３の厚み方向（図４の上下方向）の両面にそれぞれ出射窓５が形成されている。これにより、ケース４の両面から発光ダイオード２の光が出射されることになるので、光源ユニットＡ１のフック１０を相手部材に引っ掛ける際にケース４が回路基板３の厚み方向において逆向きになっていても、発光ダイオード２からの光を同じように取り出すことができる。
【００２６】
また、たとえばクリスマスツリーなどを装飾するために光源ユニットＡ１を揺れ動くように吊下げて装飾対象に取り付けた状態で光源ユニットＡ１が揺れ動いたときには、ある方向から見て発光ダイオード２の光が瞬くことがあるが、本実施形態の構成では、ケース４の１箇所に出射窓５を形成する場合に比べて、輝点（発光ダイオード２からの光が出射される点）の数が２倍になるから、光源ユニットＡ１が揺れ動いたときにある方向から見て発光ダイオード２の光が見える機会が多くなる。つまり、クリスマスツリーなどの装飾対象におけるきらめき感が向上し見映えがよくなる。
【００２７】
（実施形態３）
本実施形態の装飾照明装置は、図５に示すように、光源ユニットＡ１〜Ａ４同士を接続する電線１’として、カールコードを用いている点が実施形態１の装飾照明装置とは相違する。その他の構成および機能は実施形態１と同様である。
【００２８】
すなわち、本実施形態では、隣接する光源ユニットＡ１〜Ａ４同士がカールコードからなる電線１’によって接続されている。カールコードは周知のように螺旋状に形成されることによりその軸方向に伸縮性を有するものであるから、この構成によれば、電線１’が縮んだ状態と伸びきった状態との間の範囲内で隣り合う光源ユニットＡ１〜Ａ４間の間隔を自由に変化させることができる。
【００２９】
ところで、仮に電線としてカールコード以外の伸縮性がないものを採用した場合には、隣り合う光源ユニットＡ１〜Ａ４間の間隔が電線の長さと同等であれば電線は張った状態になるが、この状態から隣り合う光源ユニットＡ１〜Ａ４間の間隔を狭めると、間隔を狭めた分だけ電線の長さが余って電線の一部が垂れ下がることになる。そして、電線の垂れ下がった部分が光源ユニットＡ１〜Ａ４の出射窓５に重なると光源ユニットＡ１〜Ａ４からの光が電線で遮られることになるので、これを防止するために、隣り合う光源ユニットＡ１〜Ａ４間の間隔が狭いときには電線の垂れ下がった部分を保持する必要がある。これに対して、本実施形態の構成によれば、電線１’が伸びきった状態から隣り合う光源ユニットＡ１〜Ａ４間の間隔を狭めても、電線１’が縮むことにより電線１’の長さが余ってしまうことはないから、隣り合う光源ユニットＡ１〜Ａ４間の間隔が狭くても上述したように電線の垂れ下がった部分を保持する必要はない。結果的に、個々の光源ユニットＡ１〜Ａ４の配置の自由度が高くなるとともに、電線１’の保持が不要になり施工が容易になるという利点がある。
【図面の簡単な説明】
【００３０】
【図１】本発明の実施形態１の構成を示す正面図である。
【図２】同上の光源ユニットを示し、（ａ）は正面図、（ｂ）は下面図、（ｃ）は背面図、（ｄ）は側面図である。
【図３】同上の他の構成を示す正面図である。
【図４】本発明の実施形態２の構成を示す下面図である。
【図５】本発明の実施形態３の構成を示す正面図である。
【符号の説明】
【００３１】
１，１’  電線
２  発光ダイオード（発光素子）
４  ケース
５  出射窓
１０  フック（引掛部材）
１５  丸環（引掛部材）
Ａ１〜Ａ４  光源ユニット
【図１】
0004682744.tif 000002
【図２】
0004682744.tif 000003
【図３】
0004682744.tif 000004
【図４】
0004682744.tif 000005
【図５】
0004682744.tif 000006